(57)【特許請求の範囲】
【請求項１】
ズボン(1)の両側に指掛けバンド(4)を縫い付けて指挿入部(3)を設けてなる牽引ズボンであって、
前記ズボン(1)が上縁に沿って設けられてなる腰バンド部(10)と、この腰バンド部(10)の下縁に縫い付けられると共に、ズボン(1)の両側に沿って縫い付けてなる前布(11)と後布(12)とを備え、
前記指掛けバンド(4)は、立位状態における前記ズボン(1)の水平方向または水平方向から傾斜する姿勢として、その端部を前記ズボン(1)の上下に伸びる縫着ライン(5)を介して後布(12)または前布(11)に縫い付けて、対向する縫着ライン(5)の間に指挿入部(3)を設けており、
前記対向する縫着ライン(5)が、前記指挿入部(3)の開口縁(3a)から指挿入部(3)の先端部に向かって次第に間隔が狭くなるように縫着されており、
仰臥する姿勢で、前記指挿入部(3)に手の親指を掛けて下脚方向に押圧し、前記腰バンド部(10)を介して腰を下脚方向に牽引して、椎間板を開く方向に脊椎を牽引するようにしており、
前記指掛けバンド(4)は、対向する縫着ライン(5)を、指挿入部(3)の開口縁(3a)に対して互いに接近する方向に傾斜する逆ハの字状として、指挿入部(3)の内幅を、指の挿入方向に向かって次第に狭くしている牽引ズボン。
【請求項２】
上下に離して複数の指掛けバンド(4)を縫い付けて、複数の指掛けバンド(4)で上下に離してなる複数の指挿入部(3)を設けている請求項１に記載される牽引ズボン。
【請求項３】
前記指挿入部(3)がズボン(1)のポケット(2)内に設けてなる請求項１又は２に記載される牽引ズボン。
【発明の詳細な説明】
【技術分野】
【０００１】
本発明は、脊椎の牽引バンドを装着することなく、必要なときにはいつでも脊椎を牽引できる脊椎の牽引ズボンに関する。
【背景技術】
【０００２】
腰に巻き付けて脊椎を牽引するベルトは開発されている。（特許文献１参照）
この牽引ベルトを図１に示す。図１に示す牽引ベルトは、図２に示すように、ユーザーが腰に巻きつけて仰臥し、ベルト９１の両側に連結している指挿入部９３に手をかけて押し下げることで脊椎を牽引する。この牽引ベルトは、ユーザーが指挿入部９３を手で押し下げて脊椎を牽引するので、脊椎を牽引するための重りやスプリング、さらに複雑な牽引機構等を必要としない。このため、極めて簡単な構造で脊椎を牽引できる。また、手で押し下げる力で脊椎を牽引できるので、使用するユーザーは、自分に最適な力で脊椎を牽引できる。
【先行技術文献】
【特許文献】
【０００３】
【特許文献１】実公平５−６９７６号公報
【発明の概要】
【発明が解決しようとする課題】
【０００４】
図１の牽引ベルトは、簡単な構造としながら、ユーザーが最適な力で牽引できる特徴はあるが、牽引するときには、腰にセットする必要があり、また、牽引するときにのみ使用するので、種々の場所で脊椎を牽引するには、常にこれを携帯する必要がある。したがって、種々の場所で脊椎を牽引するユーザーには、必ずしも便利には使用できない。また、脊椎を充分な強度で牽引するには、バンドに相当な強度が要求されることから、バンドを厚くて強靭な構造とする必要があって嵩張る欠点もある。
【０００５】
本発明は、さらに以上の欠点を解決することを目的に開発されたものである。本発明の重要な目的は、ユーザーが牽引ベルトを持ち歩くことなく、種々の場所で、必要なときにはいつでも脊椎を牽引できる牽引ズボンを提供することにある。
【課題を解決するための手段及び発明の効果】
【０００６】
本発明の牽引ズボンは、ズボン１の両側に指掛けバンド４を縫い付けて指挿入部３を設けている。牽引ズボンは、ズボン１が上縁に沿って設けられてなる腰バンド部１０と、この腰バンド部１０の下縁に縫い付けられると共に、ズボン１の両側に沿って縫い付けてなる前布１１と後布１２とを備え、指掛けバンド４は、立位状態における前記ズボン(1)の水平方向または水平方向から傾斜する姿勢として、その端部をズボン１の上下に伸びる縫着ライン５を介して後布１２または前布１１に縫い付けて、対向する縫着ライン５の間に指挿入部３を設けている。対向する縫着ライン５は、指挿入部３の開口縁３ａから指挿入部３の先端部に向かって次第に間隔が狭くなるように縫着されている。この牽引ズボンは、仰臥する姿勢で、指挿入部３に手の親指を掛けて下脚方向に押圧し、腰バンド部１０を介して腰を下脚方向に牽引して、椎間板を開く方向に脊椎を牽引する。
【０００７】
以上の牽引ズボンは、従来の牽引ベルトのように、ユーザーが牽引専用のベルトを持ち歩く必要がなく、種々の場所で必要なときに、いつでも脊椎を牽引できる特徴がある。それは、ユーザーが着用しているズボンの両側に指挿入部を設けて、ズボンを介して脊椎を牽引できるからである。
【０００８】
本発明の牽引ズボンは、指挿入部３を、ズボン１のポケット２内に設けることができる。
以上の牽引ズボンは、手をかけて脊椎を牽引するために必要な指挿入部を連結していながら、指挿入部が外部には露出せず、外観を従来のズボンと同じようにすっきりとしたデザインにできる特徴も実現する。
【０００９】
指掛けバンド４は、対向する縫着ライン５を、指挿入部３の開口縁３ａに対して互いに接近する方向に傾斜する逆ハの字状として、指挿入部３の内幅を、指の挿入方向に向かって次第に狭くすることができる。
【００１０】
【００１１】
【００１２】
【００１３】
【００１４】
本発明の牽引ズボンは、ズボン１の両側に上方を開口するポケット２を設けて、このポケット２内に指掛けバンド４を縫着ライン５に沿って縫い付けて、縫着ライン５の間に指挿入部３を設けることができる。
以上の牽引ズボンは、ポケットの上端を開口しているので、ポケット内の指挿入部に手の指をスムーズに挿入して脊椎を牽引できる。
【００１５】
本発明の牽引ズボンは、ポケット２内に、上下に離して複数の指掛けバンド４を縫い付けて、複数の指掛けバンド４でもって上下に離して複数の指挿入部３を設けることができる。
以上の牽引ズボンは、上下に離して複数の指挿入部が設けられるので、ユーザーが手の指を挿入する位置を上下に変更することで、最も理想的な姿勢で脊椎を牽引できる。また、手の長いユーザーも、手の短いユーザーも、理想的な指挿入部に手の指をかけて脊椎を効果的に牽引できる。
【００１６】
本発明の牽引ズボンは、ズボン１が、上縁に沿って設けられてなる腰バンド部１０と、この腰バンド部１０の下縁に縫い付けられられると共に、ズボン１の両側に沿って縫い付けてなる前布１１と後布１２とを備えて、前布１１と後布１２とに指掛けバンド４の両端を縫い付けて、指掛けバンド４で指挿入部３を設けることができる。
以上の牽引ズボンは、ズボン両側に露出するように指掛けバンドを設けて、前布及び後布と指掛けバンドとの間に指挿入部を設けているので、ユーザーがとくに手の指をスムーズに挿入して脊椎を牽引できる特徴がある。
【００１７】
本発明の牽引ズボンは、上下に離して複数の指掛けバンド４を縫い付けて、複数の指掛けバンド４で上下に離してなる複数の指挿入部３を設けることができる。
以上の牽引ズボンは、上下に離して複数の指挿入部が設けられるので、ユーザーが手の指を挿入する位置を上下に変更することで、最も理想的な姿勢で脊椎を牽引できる。また、手の長いユーザーも、手の短いユーザーも、理想的な指挿入部に手の指をかけて脊椎を効果的に牽引できる。
【００１８】
本発明の牽引ズボンは、指掛けバンド４の両端を縫着ライン５で後布１２または前布１１に縫い付けて、対向する縫着ライン５の間に指挿入部３を設けると共に、対向する縫着ライン５を、指挿入部３の開口縁３ａから指挿入部３の先端部に向かって次第に間隔が狭くなるように縫着することができる。
以上の牽引ズボンは、親指を指挿入部に入れる状態で、指挿入部の内面を親指の腹部のより広い面積で押圧して、指掛けバンドを強く押し下げて脊椎を効果的に牽引できる。
【００１９】
【図面の簡単な説明】
【００２０】
【図１】従来の脊椎を牽引するベルトの正面図である。
【図２】図１に示す脊椎を牽引するベルトの使用状態を示す側面図である。
【図３】本発明の一実施例にかかる牽引ズボンの正面図である。
【図４】図１に示す牽引ズボンの一部拡大側面図である。
【図５】図４に示す牽引ズボンの拡大斜視図である。
【図６】本発明の他の実施例にかかる牽引ズボンの側面図である。
【図７】図６に示す牽引ズボンの拡大斜視図である。
【図８】本発明の他の実施例にかかる牽引ズボンの拡大側面図である。
【図９】図８に示す牽引ズボンの指掛けバンドを指で押し下げる状態を示す拡大斜視図である。
【図１０】本発明の他の実施例にかかる牽引ズボンの拡大斜視図である。
【図１１】本発明の他の実施例にかかる牽引ズボンの拡大斜視図である。
【図１２】本発明の他の実施例にかかる牽引ズボンの拡大斜視図である。
【図１３】図１２に示す牽引ズボンの指掛けバンドを指で押し下げる状態を示す拡大断面図である。
【図１４】本発明の他の実施例にかかる牽引ズボンの拡大斜視図である。
【発明を実施するための形態】
【００２１】
以下、本発明の実施例を図面に基づいて説明する。ただし、以下に示す実施例は、本発明の技術思想を具体化するための牽引ズボンを例示するものであって、本発明は牽引ズボンを以下のものに特定しない。さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２２】
図３ないし図７に示す牽引ズボンは、ズボン１の両側に、手の指を掛けて脊椎の牽引方向に押し下げて腰を牽引する指挿入部３を連結している。牽引ズボンは、ポケット２の内部に指挿入部３を設けて、指挿入部３を外部に露出させない外観にできる。
【００２３】
図３ないし図７の牽引ズボンは、ズボン１の上縁に沿って設けられてなる腰バンド部１０と、この腰バンド部１０の下縁に縫い付けられられると共に、ズボン１の両側に沿って縫い付けている前布１１と後布１２とを備える。腰バンド部１０はリング状で、所定の間隔でベルトを挿通するベルト通し１３を縫い付けている。
【００２４】
前布１１は２枚の布地であって、ズボン１の前部ではチャック９などで連結され、股下と両側では後布１２に縫い付けられて、足を挿通できる筒状としている。後布１２は２枚の布地であって、ズボン１の尻部で縫い付けられ、また、股下と両側で前布１１に縫い付けられて、足を挿通できる筒状としている。
【００２５】
牽引ズボンは、両側であって、腰バンド部１０の下にポケット２を設けている。ポケット２を設けるために、ズボン１の両側部において、前布１１と後布１２を縫い付けない非縫い付け部１４を設けて、この非縫い付け部１４をポケット２の開口部２Ａとしている。さらに、後布１２は、ポケット２の開口部２Ａからポケット２内に延長されて、後布１２に前布１１が重ねられて、前布１１と後布１２との間にポケット２を設けている。ポケット２をズボン１の内部に延長するために、前布１１と後布１２は、ポケット２となるポケット布地６を縫着している。ポケット布地６は、互いに縫着されてポケット２を設けている。
【００２６】
ポケット２内に指挿入部３を設けるために、図３ないし図７の牽引ズボンは、ポケット２内で後布１２の表面に指掛けバンド４を縫い付けている。この牽引ズボンは、ポケット２の開口縁２ａに沿って所定の幅の指掛けバンド４を縫い付けている。指掛けバンド４はポケット２の開口縁２ａから外部に露出しないように、開口縁２ａに沿ってポケット２内に配置して、後布１２に縫い付けている。
【００２７】
指掛けバンド４は、複数カ所を縫着ライン５で後布１２に縫い付けて、縫着ライン５の間に指挿入部３を設けている。図３ないし図７の牽引ズボンは、指掛けバンド４の上下の端縁と中間を縫着ライン５で後布１２に縫着して、縫着ライン５の間に、上下に離してふたつの指挿入部３を設けている。縫着ライン５は、指挿入部３にスムーズに親指を挿通できるように、ポケット２の開口縁２ａからポケット２の内部に向かって、下方に下り勾配に傾斜するように後布１２に縫着している。図４に示す指挿入部３は、縫着ライン５を、上方に向かって前方に傾斜するポケット２の開口縁２ａに対して垂直な姿勢としており、この縫着ライン５が水平方向に対して傾斜する傾斜角（α）を約１５度としている。また、図６に示す指挿入部３は、縫着ライン５をポケット２の開口縁２ａに対して傾斜させており、この縫着ライン５が水平方向に対して傾斜する傾斜角（α）を約４５度としている。ただし、縫着ラインの水平方向に対する傾斜角（α）は、１０度〜６０度とすることができる。
【００２８】
図３ないし図７の牽引ズボンは、指掛けバンド４の３カ所を縫着ライン５で後布１２に縫着して、上下に離してふたつの指挿入部３を設けている。指掛けバンド４は、４カ所以上の縫着ラインを介して後布に縫着して、３カ所以上の指挿入部を設けることもできる。
【００２９】
さらに、牽引ズボンは、指挿入部３を図８に示す構造とすることもできる。この図に示す牽引ズボンは、指掛けバンド４の両端を、対向する縫着ライン５で後布１２に縫い付けて、縫着ライン５の間に指挿入部３を設けている。図８に示す指掛けバンド４は、指の挿入方向への横幅（Ｗ）を、図４に示す指掛けバンド４の横幅（Ｗ）よりも広くしている。さらに、図８に示す指掛けバンド４は、これを後布１２に縫着する互いに対向する縫着ライン５を、指挿入部３の開口縁３ａから指挿入部３の先端部である奥部に向かって、次第に間隔が狭くなるように縫着している。図８に示す指掛けバンド４は、対向する縫着ライン５を、指挿入部３の開口縁３ａに対して互いに接近する方向に傾斜する逆ハの字状としており、指挿入部３の内幅を、指の挿入方向に向かって次第に狭くしている。図８の縫着ライン５は、指挿入部３の開口縁３ａに対して垂直な方向から互いに接近する方向に傾斜する傾斜角（β）を約２０度としている。ただし、縫着ラインの傾斜角（β）は５度〜４０度とすることができる。また、図の指挿入部３は、指掛けバンド４の横幅（Ｗ）を、約４ｃｍとして、ここに挿入される親指の先端から第一間接までの長さとほぼ等しくし、あるいはやや長くしている。ただし、指掛けバンドの横幅（Ｗ）は、２ｃｍ〜６ｃｍとすることができる。
【００３０】
以上の指挿入部３は、幅の広い開口縁３ａから親指を簡単に挿入して、親指の先端が指挿入部３を貫通して先端から突出するのを抑制しながら、指挿入部３の内面を、指挿入部３に挿入される親指の腹部のより広い面積で押圧できる。このため、この構造の指挿入部３は、図９に示すように、指挿入部３に挿入される親指の腹部で、指挿入部３の内面を図の矢印で示す方向に押圧することにより、指掛けバンド４に対して力を加えやすくでき、指掛けバンド４を下脚方向に強く押し下げて、腰バンド部１０を介して腰を下脚方向に牽引して、椎間板を開く方向に脊椎を牽引できる。
【００３１】
図８と図９に示す牽引ズボンは、両側のポケット２の内側に１枚の指掛けバンド４を縫い付けて、１段に指挿入部３を設けている。ただ、牽引ズボンは、図８と図９に示す構造の指掛けバンド４を、上下２段に、あるいは３段以上に縫い付けて、複数段の指挿入部を上下に離して設けることもできる。この牽引ズボンは、ユーザーが手の指を挿入する位置を最適な位置に選択して、最も理想的な姿勢で脊椎を牽引できる。
【００３２】
さらに、図５、図７、及び図９に示す牽引ズボンは、指掛けバンド４を縫着ライン５で強固に後布１２に縫着すると共に、縫着ライン５が逢着される後布１２を補強するために、後布１２の内面側に補強布地７を配設している。この補強布地７は、例えば、前布１１や後布１２と同じ材質の布地であって、裏地として後布１２の内面に縫着している。この補強布地７は、指掛けバンド４を後布１２に縫着する縫着ライン５を介して後布１２に縫着される。ただ、補強布地は、指掛けバンドを後布に縫着する縫着ラインに加えて、これとは別の縫着ラインを介して後布に縫着することもできる。この構造は、補強布地をさらに強固に後布に縫着できる。以上の補強布地７は、指掛けバンド４とほぼ同じ外形の、あるいはやや大きな布地として、指掛けバンド４と一緒に後布１２に縫着されて、指掛けバンド４の縫着ライン５と後布１２を補強する。
【００３３】
図３ないし図５、図８、及び図９に示す牽引ズボンは、ポケット２の開口縁２ａを、手を挿入しやすいように、上方に向かって前方にずれるように傾斜している。この牽引ズボンは、ポケット２の開口部２Ａに手を入れやすく、ポケット２内に設けている指挿入部３には親指をスムーズに挿入できる。また、図６と図７の牽引ズボンは、ポケット２の開口縁２ａをズボン１の上下方向としている。
【００３４】
図１０と図１１の牽引ズボンは、ズボン１の両側に、上方を開口するポケット２を設けて、このポケット２内に指挿入部３を設けている。ポケット２は、前布１１と後布１２の表面に、ポケット布地６の両側縁と底縁を縫い付けて設けている。
【００３５】
図１０の牽引ズボンは、ポケット２内に指挿入部３を設けるために、ポケット２内に指掛けバンド４を縫着している。指掛けバンド４は、上下方向に延びる互いに平行な縫着ライン５を介して前布１１と後布１２とに縫い付られて、縫着ライン５の間に指挿入部３を設けている。図１０の牽引ズボンは、指掛けバンド４を水平方向に延びる姿勢として、指掛けバンド４の両端を縫着ライン５を介して縫い付けている。指掛けバンド４は一端を前布１１に、他端を後布１２に縫い付けている。この牽引ズボンは、上下に離して、２列に指掛けバンド４の両端を縫い付けて、ポケット２内に上下に離して指挿入部３を設けている。上段の指掛けバンド４は、上端縁をポケット２の開口縁２ａの近傍に配置して、ユーザーが親指を挿入しやすくしている。
【００３６】
さらに、図示しないが、上方を開口するポケット２内に設けられる指挿入部３は、図８に示す構造で指掛けバンド４をポケット２内に縫着することもできる。すなわち、この指掛けバンドは、互いに対向する縫着ラインを、指挿入部の開口縁から指挿入部の先端部である奥部に向かって、次第に間隔が狭くなる姿勢として、両端を前布と後布とに縫着することができる。この指掛けバンドも、対向する縫着ラインを、指挿入部の開口縁に対して互いに接近する方向に傾斜する逆ハの字状として、指挿入部の内幅を、指の挿入方向に向かって次第に狭くすることができる。この指掛けバンドは、水平姿勢として、あるいは、水平姿勢から傾斜する姿勢として、対向する縫着ラインを介して前布と後布とに縫い付けることができる。、
【００３７】
さらに、図１１の牽引ズボンは、腰バンド部１０の下方で前布１１と後布１２とが縫い付けられない非縫い付け部１４を設けて、非縫い付け部１４を指挿入部３の開口部２Ａとしている。この牽引ズボンは、指挿入部３の開口部２Ａの上下を、開口部２Ａからズボン１の前方に向かって延びる縫着ライン５によって前布１１を後布１２に縫い付けて、上下の縫着ライン５の間に指挿入部３を設けている。この図の牽引ズボンは、上下に離して３列の縫着ライン５を設けて、縫着ライン５の間に上下に離して２列の指挿入部３を設けている。縫着ライン５は、前布１１と後布１２の境界から前方に向かって下方に下り勾配に傾斜するように設けている。この牽引ズボンは、親指をスムーズに挿入できる。縫着ライン５は、前布１１と後布１２との境界に対する傾斜角（α）を約４５度としている。傾斜角（α）は、２０度〜６０度として、親指をスムーズに無理なく挿入できる。
【００３８】
図１１の牽引ズボンは、図の鎖線で示すように、ポケット布地６の両側縁と下縁とを縫い付けて、ポケット２の内部に指挿入部３を設けることができる。ただ、ポケット布地６を縫い付けないで、前布１１と後布１２との境界に指挿入部３の開口部２Ａを設けることもできる。
【００３９】
図１２の牽引ズボンは、両側に指掛けバンド４を縫い付けて、指挿入部３を設けている。指掛けバンド４は、上縁に沿って設けている腰バンド部１０の下縁に縫い付けている前布１１と後布１２とに両端を縫い付けている。指掛けバンド４は、一端を前布１１に、他端を後布１２に縫い付けて、指挿入部３を設けている。図の牽引ズボンは、指掛けバンド４を水平姿勢として、その端部を上下に延びる縫着ライン５で前布１１と後布１２とに縫い付けている。指掛けバンド４は水平姿勢から傾斜する姿勢で縫い付けることもできる。
【００４０】
さらに、図１２に示す指掛けバンド４は、対向する縫着ライン５を、指挿入部３の開口縁３ａから指挿入部３の先端部である奥部に向かって、次第に間隔が狭くなる姿勢として、その両端を前布１１と後布１２とに縫着している。図１２に示す指掛けバンド４は、対向する縫着ライン５を、指挿入部３の開口縁３ａに対して互いに接近する方向に傾斜する逆ハの字状としており、指挿入部３の内幅を、指の挿入方向に向かって次第に狭くしている。図１２の指掛けバンド４を縫着する縫着ライン５も、図８の縫着ライン５と同様に、指挿入部３の開口縁３ａに対して垂直な方向から互いに接近する方向に傾斜する傾斜角（β）を約２０度としている。また、図１２の指挿入部３も、指掛けバンド４の横幅（Ｗ）を約４ｃｍとして、ここに挿入される親指の先端から第一間接までの長さとほぼ等しくし、あるいはやや長くしている。ただ、縫着ラインの傾斜角（β）は５度〜４０度とし、また、指掛けバンドの横幅（Ｗ）を、２ｃｍ〜６ｃｍとすることができる。
【００４１】
このように、指挿入部３の開口部３ａ側の内幅を広くする構造は、図１３に示すように、指挿入部３に親指を挿入して下方に押圧する状態では、指掛けバンド４の開口部側、すなわち、開口幅が広い上側を、図に示すように外側方向に広がる姿勢とすることができる。このため、指掛けバンド４の内面を、指挿入部３に挿入される親指の腹部でより効果的に下方に押圧でき、いいかえると、親指の腹部で指掛けバンド４に対して力を加えやすくして、指掛けバンド４を下脚方向に強く押し下げて、腰バンド部１０を介して腰を下脚方向に牽引して、椎間板を開く方向に脊椎を効果的に牽引できる。
【００４２】
さらに、図１２の牽引ズボンは、上下に離して２枚の指掛けバンド４を縫い付けて、２枚の指掛けバンド４で上下に離して２段に指挿入部３を設けている。図の牽引ズボンは、上下２段に指挿入部３を設けているが、３段以上のあるいは１段の指挿入部３を設けることもできる。
【００４３】
さらに、図１４の牽引ズボンは、腰バンド部１０の下縁に、細長いベルト状の指掛けバンド４の両端を縫い付けて、指掛けバンド４で指挿入部３を設けている。指掛けバンド４は、一端を前布１１と腰バンド部１０の間に挟み、他端を後布１２と腰バンド部１０との間に挟み、腰バンド部１０を前布１１や後布１２に縫い付ける縫着ライン５で縫い付けている。この牽引ズボンは、指掛けバンド４の長さで、親指を挿入する上下位置を調整できる。この牽引ズボンは、指掛けバンド４を長くして指挿入部３の位置を足先に近づけ、あるいは、指掛けバンド４を短くして指挿入部３の位置を腰に近づけることができる。
【００４４】
以上の牽引ズボンは以下のようにして使用する。
（１）ユーザーが牽引ズボンを身につける。この牽引ズボンは、一般的なズボンと同じ用にして身につけることができ、また、身につけた状態においても、普段と同様に過ごすことができる。
（２）ユーザーが脊椎を牽引したくなると、床に仰臥した状態で、ズボン１の両側に設けた指挿入部３に両手の指を挿入して、指挿入部３を手で押し下げて脊椎を牽引する。
（３）脊椎の牽引が終わると、ズボン１の両側の指挿入部３から指を抜き取って、普段の生活に戻る。
【符号の説明】
【００４５】
１…ズボン
２…ポケット                    ２Ａ…開口部
２ａ…開口縁
３…指挿入部                    ３ａ…開口縁
４…指掛けバンド
５…縫着ライン
６…ポケット布地
７…補強布地
９…チャック
１０…腰バンド部
１１…前布
１２…後布
１３…ベルト通し
１４…非縫い付け部
９１…ベルト
９３…指挿入部
【図１】
0005958852.tif 000002
【図２】
0005958852.tif 000003
【図３】
0005958852.tif 000004
【図４】
0005958852.tif 000005
【図５】
0005958852.tif 000006
【図６】
0005958852.tif 000007
【図７】
0005958852.tif 000008
【図８】
0005958852.tif 000009
【図９】
0005958852.tif 000010
【図１０】
0005958852.tif 000011
【図１１】
0005958852.tif 000012
【図１２】
0005958852.tif 000013
【図１３】
0005958852.tif 000014
【図１４】
0005958852.tif 000015